(57)【要約】【課題】  小労力かつ確実に根切り出来る根切り器具を提供する。【解決手段】  植物（３０）の根部（３２）を切断するための根切り器具（１０）であって、クワ部（１２）と加重部（２０）からなり、クワ部（１２）は、刃部（１４）と、刃部（１４）に接続される棒状の柄部（１６）と、柄部（１６）に設けた受け部（１８）とを有し、加重部（２０）は、柄部（１６）に沿って移動可能な筒部（２２）を有し、加重部（２０）の筒部（２２）が柄部（１６）に沿って移動していって、受け部（１８）に衝突する構成にしたことを特徴とする根切り器具。【選択図】  図５
2005034101.tif 000002
【特許請求の範囲】
【請求項１】
植物（３０）の根部（３２）を切断するための根切り器具（１０）であって、
クワ部（１２）と加重部（２０）からなり、
クワ部（１２）は、刃部（１４）と、刃部（１４）に接続される棒状の柄部（１６）と、柄部（１６）に設けた受け部（１８）とを有し、
加重部（２０）は、柄部（１６）に沿って移動可能な筒部（２２）を有し、
加重部（２０）の筒部（２２）が柄部（１６）に沿って移動していって、受け部（１８）に衝突する構成にしたことを特徴とする根切り器具。
【請求項２】
刃部（１４）の先端を凹凸形状に構成したことを特徴とする請求項１に記載の根切り器具。
【請求項３】
刃部（１４）をはがね付き焼入れ鋼で形成したことを特徴とする請求項１又は２に記載の根切り器具。
【請求項４】
加重部（２０）が重り（２４）を有することを特徴とする請求項１〜３のいずれか１項に記載の根切り器具。
【請求項５】
クワ部（１２）の全長が１００ｃｍ以上１７０ｃｍ以下、好ましくは１２０ｃｍ以上１４０ｃｍ以下であることを特徴とする請求項１〜４のいずれか１項に記載の根切り器具。
【請求項６】
加重部（２０）の全長が１４０ｃｍ以下、好ましくは１００ｃｍ以下であることを特徴とする請求項１〜５のいずれか１項に記載の根切り器具。
【発明の詳細な説明】
【技術分野】
【０００１】
この発明は、植物の根切り、好ましくは筍（竹の子）の根切りに用いられる根切り器具に関するものである。
【背景技術】
【０００２】
植物の根切りを行う場合、作業者は、まず植物の根部が露出するまで穴を掘っていた。
【０００３】
従来、植物の根切りを行う場合、作業者は、非特許文献１に示されているように、鍬やスコップを植物の根部に向けて勢いよく打ち込んでいた。
【非特許文献１】ぶぜん子供センター、[平成１５年６月３日検索]、インターネット＜ＵＲＬ：http://www.buzenkids.gr.jp/yama/harusansai/sansai.htm＞
【発明の開示】
【発明が解決しようとする課題】
【０００４】
しかしながら、鍬やスコップ４２を根部に向けて勢いよく打ち込んだ場合、根の周囲を傷める危険があった。また、作業者の多大な労力を要していた。
【０００５】
本発明は、小労力かつ確実に根切りができる根切り器具を提供することを目的とする。
【課題を解決するための手段】
【０００６】
本発明による解決手段を例示すると以下のとおりである。
【０００７】
（１）  植物（３０）の根部（３２）を切断するための根切り器具（１０）であって、
クワ部（１２）と加重部（２０）からなり、
クワ部（１２）は、刃部（１４）と、刃部（１４）に接続される棒状の柄部（１６）と、柄部（１６）に設けた受け部（１８）とを有し、
加重部（２０）は、柄部（１６）に沿って移動可能な筒部（２２）を有し、
加重部（２０）の筒部（２２）が柄部（１６）に沿って移動していって、受け部（１８）に衝突する構成にしたことを特徴とする根切り器具。
【０００８】
（２）  刃部（１４）の先端を凹凸形状に構成したことを特徴とする前述の根切り器具。
【０００９】
（３）  刃部（１４）をはがね付き焼入れ鋼で形成したことを特徴とする前述の根切り器具。
【００１０】
（４）  加重部（２０）が重り（２４）を有することを特徴とする前述の根切り器具。
【００１１】
（５）  クワ部（１２）の全長が１００ｃｍ以上１７０ｃｍ以下、好ましくは１２０ｃｍ以上１４０ｃｍ以下であることを特徴とする前述の根切り器具。
【００１２】
（６）  加重部（２０）の全長が１４０ｃｍ以下、好ましくは１００ｃｍ以下であることを特徴とする前述の根切り器具。
【発明の効果】
【００１３】
本発明によれば、クワ部と加重部で根切りを行うので、小労力でかつ確実に根切りができる。
【００１４】
刃部の先端を凹凸形状に構成すれば、刃部が横ズレする事なく、確実に切断できる。
【００１５】
刃部をはがね付き焼入れ鋼で形成すれば、刃部を強固に形成でき、切味良好となる。
【００１６】
クワ部の全長を１００ｃｍ以上１７０ｃｍ以下、好ましくは１２０ｃｍ以上１４０ｃｍ以下に構成すれば、クワ部が扱いやすくなる。
【００１７】
加重部の全長を１４０ｃｍ以下、好ましくは１００ｃｍ以下に構成すれば、加重部が扱いやすくなる。
【００１８】
なお、本発明は図示された実施例に限定されない。刃部の形状は任意である。
【発明を実施するための最良の形態】
【００１９】
本発明の好適な実施の態様においては、植物は筍である。好ましくは、筍の根部に刃部を当てて根切りする。
【００２０】
根部は、茎や幹の根元の部分や、植物の根の部分を含む。すなわち、本発明の根切り器具は、茎や幹の根元の部分や植物の根の部分を切断できる。
【００２１】
柄部、受け部、刃部は、一体成型しても良いし、各部材を別個に形成した後、組み立てて一体化しても良い。図示例においては、刃部の基端に板部が設けられているが、刃部に直接受け部と柄部を接続しても良い。
【００２２】
加重部は、重りを有するのが好ましい。重りは、筒部の一端に設けるのが好ましいが、全体的に設けても良い。筒部を所定の重さを有する重りとして構成しても良い。
【００２３】
刃部の先端は、凹凸形状にするのが好ましいが、直線状や弧状であっても良い。凹凸の個数も任意である。
【００２４】
受け部の位置は任意である。受け部を刃部の付近に設けて加重部の移動距離を長くとるように構成すれば、衝撃力を高めることが出来て良い。
【００２５】
クワ部の全長は、好ましくは１００ｃｍ以上１７０ｃｍ以下である。クワ部の全長とは、刃部の先端から柄部の先端までの長さをいう。クワ部の全長はこれより短くても長くても扱いづらくて不便である。より好ましくは１２０ｃｍ以上１４０ｃｍ以下である。
【００２６】
加重部の全長は、好ましくは１４０ｃｍ以下である。加重部の全長とは、筒部の一端から他端までの長さをいう。加重部の全長はこれより長いと扱いづらくて不便である。より好ましくは１００ｃｍ以下である。加重部を短く構成して移動距離を長くとるように構成すれば、衝撃力を高めることができて良い。
【実施例】
【００２７】
以下、図面を参照して本発明の実施例を説明する。
【００２８】
図１は、本発明による根切り器具を構成するクワ部の一例を示す正面図である。図２は、図１のクワ部の側面図である。図３は本発明による根切り器具を構成する加重部の一例を示す側断面図である。
【００２９】
本発明による根切り器具１０は、クワ部１２と加重部２０からなる。
【００３０】
クワ部１２は、刃部１４と、刃部１４に接続される棒状の柄部１６と、柄部１６に設けた受け部１８とを有する。
【００３１】
刃部１４は、はがね付き焼入れ鋼で形成されていて、植物の根部を切るものである。刃部１４は、切味良好なものを用いるのが良い。刃部１４の先端は、凹凸形状に形成されていて、横ズレしないようになっている。
【００３２】
刃部１４の刃先と反対側は、板部１５として構成されている。板部１５は、刃部１４とほぼ同じ幅で刃部１４から所定長さ延在している。
【００３３】
板部１５の基端には、受け部１８が設けられている。受け部１８はリング状の鍔で構成されていて、後述する筒部２２の先端を受けるためのものである。
【００３４】
受け部１８の中心には、長尺の棒で形成された柄部１６が接続されている。作業者は、柄部１６を把持することによりクワ部１２を取り扱う。
【００３５】
図３は、加重部の一例を示す側断面図である。
【００３６】
加重部２０は、柄部１６に沿って移動可能な筒部２２を有する。
【００３７】
筒部２２は、柄部１６の外径よりやや大きい内径を有する任意長の筒である。柄部１６を筒部２２に挿入することにより、筒部２２は柄部１６に沿って移動可能である。筒部２２は、受け部１８で停止されるようになっている。
【００３８】
筒部２２の一端には、重り２４が設けられている。重り２４は図３では比較的小径のものを用いているが、図４に示すような厚みのある重り２４１を追加して用いても良い。
【００３９】
次に、図５を参照して、本発明による根切り器具の使用例を説明する。植物の一例として筍３０が示されている。
【００４０】
地面３４に、筍３０が生えている。筍３０の側方に穴３６を掘り、筍３０の根部３２が見えるようにしておく。
【００４１】
根切り器具１０は、柄部１２を筒部２２に通した状態にする。根部３２に刃部１４の先端を当接させる。加重部２０を柄部１２の上方から下方に矢印Ａ方向に落とす。加重部２０の筒部２２が、柄部１６に沿って移動していって、受け部１８に衝突する。衝突による刃部１４から根部３２への押圧力で、根部３２を切断することができる。刃部１４を焼入れ鋼で切味良く形成すれば、根部３２を容易に切断することができる。作業者が加重部２０を矢印Ａ方向に勢い良く打ち付けるようにしても良い。
【００４２】
図６〜８には、参考までに、植物の根切りを行う前に特に深い穴を掘るときに用いられる道具の一例を示す。
【００４３】
図６の石のみ４０は、穴掘りの過程において出現した石や岩などの障害物を除去するときに用いられる。図７のスコップ４２は、穴掘りと土石の除去に用いられる。図８の筒状の穴掘り４４は、椀を逆さまにした形をしており、その中に土を入れるために用いられる。
【図面の簡単な説明】
【００４４】
【図１】本発明による根切り器具を構成するクワ部の一例を示す平面図である。
【図２】図１のクワ部の側面図である。
【図３】本発明による根切り器具を構成する加重部の一例を示す側断面図である。
【図４】重りの別の例を示す斜視図である。
【図５】本発明による根切り器具の使用例を説明する図である。
【図６】従来深い穴掘りに用いられている石のみを示す。
【図７】従来深い穴掘りに用いられているスコップを示す。
【図８】従来深い穴掘りに用いられている筒状の穴掘りを示す。
【符号の説明】
【００４５】
１０  根切り器具
１２  クワ部
１４  刃部
１５  板部
１６  柄部
１８  受け部
２０  加重部
２２  筒部
２４，２４１  重り
３０  筍
３２  根部
３４  地面
３６  穴
４０  石のみ
４２  スコップ
４４  筒状の穴掘り
【図１】
2005034101.tif 000003
【図２】
2005034101.tif 000004
【図３】
2005034101.tif 000005
【図４】
2005034101.tif 000006
【図５】
2005034101.tif 000007
【図６】
2005034101.tif 000008
【図７】
2005034101.tif 000009
【図８】
2005034101.tif 000010